(57)【特許請求の範囲】
【請求項１】
放送番組を受信する受信手段と、
前記受信手段が受信した前記放送番組から映像と音声とを含む番組データを抽出する番組データ抽出手段と、
前記番組データ抽出手段が抽出した前記番組データを第１記録媒体に記録する記録手段と、
前記第１記録媒体に記録された前記番組データを第２記録媒体にダビングするダビング手段と、
前記第１記録媒体の空き容量が所定容量よりも少ないか否かを判定する容量判定手段とを備え、
前記容量判定手段により前記第１記録媒体の空き容量が前記所定容量よりも少ないと判定された場合、前記ダビング手段は、前記第１記録媒体に記録された所定の番組データを自動で前記第２記録媒体にダビングし消去する放送番組記録装置において、
前記記録手段が前記第１記録媒体に記録された前記番組データの中から記録日時の古い番組データを選択した後、当該番組データが前記第２記録媒体へのダビングを禁止されていないこと、前記記録手段により自動で記録された番組データを含まないこと、および映像音声圧縮待ち番組を含まないことを順次に判定した上で、当該番組データをダビングし消去する、放送番組記録装置。
【請求項２】
前記第１記録媒体は内蔵ＨＤＤ、前記第２記録媒体は外付けＨＤＤである、請求項１記載の放送番組記録装置。
【発明の詳細な説明】
【技術分野】
【０００１】
本発明は、放送番組を記録する放送番組記録装置に関するものである。
【背景技術】
【０００２】
従来の放送番組記録装置において、予約録画終了後にダビングを行うか否かを、録画予約時にユーザが設定し、予約録画終了後に自動で内蔵ＨＤＤから外付けＨＤＤ等に番組データをダビングする技術が知られている（例えば特許文献１参照）。なお、放送番組記録装置が搭載している内蔵ＨＤＤから外付けＨＤＤに対して自動で番組データのダビングを行うことを、以下、自動ダビングと称す。このように、予約録画時に自動ダビングの設定を行うことにより、内蔵ＨＤＤ等に記載した放送番組の番組データを手動ではなく、自動で外付けＨＤＤ等にダビングすることでユーザの使い勝手を向上させることができる。
【先行技術文献】
【特許文献】
【０００３】
【特許文献１】特開２００７−１２１４８号公報
【発明の概要】
【発明が解決しようとする課題】
【０００４】
しかしながら、特許文献１に記載の技術では、予約録画時に、ユーザが自動ダビングの設定を行う必要があった。また、内蔵ＨＤＤの空き容量が不足し、新規の番組データを記録できない場合は、空き容量を確保するために、内蔵ＨＤＤに記録された番組データを外付けＨＤＤへ手動でダビングし消去するか、または、ダビングすることなく内蔵ＨＤＤから不要な番組データを手動で消去する必要があった。
【０００５】
そこで、本発明は、新規の番組データを記録するための空き容量を自動で確保することができる放送番組記録装置を提供することを目的とする。
【課題を解決するための手段】
【０００６】
本発明に係る放送番組記録装置は、放送番組を受信する受信手段と、前記受信手段が受信した前記放送番組から映像と音声とを含む番組データを抽出する番組データ抽出手段と、前記番組データ抽出手段が抽出した前記番組データを第１記録媒体に記録する記録手段と、前記第１記録媒体に記録された前記番組データを第２記録媒体にダビングするダビング手段と、前記第１記録媒体の空き容量が所定容量よりも少ないか否かを判定する容量判定手段とを備え、前記容量判定手段により前記第１記録媒体の空き容量が前記所定容量よりも少ないと判定された場合、前記ダビング手段は、前記第１記録媒体に記録された所定の番組データを自動で前記第２記録媒体にダビングし消去する放送番組記録装置において、前記記録手段が前記第１記録媒体に記録された前記番組データの中から記録日時の古い番組データを選択した後、当該番組データが前記第２記録媒体へのダビングを禁止されていないこと、前記記録手段により自動で記録された番組データを含まないこと、および映像音声圧縮待ち番組を含まないことを順次に判定した上で、当該番組データをダビングし消去するものである。
【発明の効果】
【０００７】
本発明によれば、第１記録媒体の空き容量が所定容量よりも少ない場合、ダビング手段は、第１記録媒体に記録された所定の番組データを自動で第２記録媒体にダビングし消去するため、新規の番組データを記録するための空き容量を自動で確保することができる。記録日時が古い放送番組の番組データが自動ダビングの対象となるため、ユーザがまだ視聴していない放送番組を削除してしまうことを抑制できる。また、自動記録された放送番組の番組データについては自動ダビングの対象とならないため、第２記録媒体に対するダビング回数を減らすことができる。さらに、映像音声圧縮待ち番組は自動ダビングの対象とならないため、圧縮後の番組データを第２記録媒体にダビングすることで第２記録媒体の使用容量を節約することができる。
【図面の簡単な説明】
【０００８】
【図１】実施の形態に係る放送番組記録装置のブロック図である。
【図２】放送番組記録装置の自動ダビング処理を示すフローチャートである。
【発明を実施するための形態】
【０００９】
＜実施の形態＞
本発明の実施の形態について、図面を用いて以下に説明する。図１は、本発明の実施の形態１に係る放送番組記録装置１のブロック図である。放送番組記録装置１は、アンテナ２（受信手段）と、デジタルチューナ３と、トランスポートストリームデコーダ４（番組データ抽出手段）と、ストリームコントローラ５と、内蔵ＨＤＤ６（第１記録媒体）と、ＡＶデコーダ７と、映像表示装置８（例えば液晶パネル等）と、音声出力装置９（例えばスピーカ等）と、ＵＳＢインターフェイス１０と、ＣＰＵ（Ｃｅｎｔｒａｌ  Ｐｒｏｃｅｓｓｉｎｇ  Ｕｎｉｔ）１２と、ＲＯＭ（Ｒｅａｄ  Ｏｎｌｙ  Ｍｅｍｏｒｙ）１３と、ＲＡＭ（Ｒａｎｄａｍ  Ａｃｃｅｓｓ  Ｍｅｍｏｒｙ）１４と、ＣＰＵバス１５とを備えている。また、放送番組記録装置１は、例えばＭＰＥＧ２方式により映像音声データを圧縮する図示外のデコーダを備えている。
【００１０】
アンテナ２は、放送番組記録装置１の外部に設置され、発信局が送信したデジタル放送信号の放送波を受信する。デジタルチューナ３は、アンテナ２が受信したデジタル放送信号の放送波から任意のトランスポートストリーム（ＴＳ）を抽出する。トランスポートストリームデコーダ４は、デジタルチューナ３が抽出したＴＳから、選局された番組に関連するデータだけを抽出した番組データであるパーシャルトランスポートストリーム（パーシャルＴＳ）をストリームコントローラ５に出力する。
【００１１】
ストリームコントローラ５は、トランスポートストリームデコーダ４から受けたパーシャルＴＳをＡＶデコーダ７に出力する。また、ストリームコントローラ５は、放送番組の記録を行う場合にパーシャルＴＳを内蔵ＨＤＤ６に記録する。ＡＶデコーダ７は、パーシャルＴＳに含まれる放送番組の映像と音声をデコードし、映像音声信号を復元する。
【００１２】
内蔵ＨＤＤ６は、放送番組のパーシャルＴＳおよび当該放送番組のパーシャルＴＳが記録される記録日時を記録するための記録媒体である。ＵＳＢインターフェイス１０は、ＵＳＢ端子（図示省略）を介して外付けされるＵＳＢ（Ｕｎｉｖｅｒｓａｌ  Ｓｅｒｉａｌ  Ｂｕｓ）−ＨＤＤ１１（第２記録媒体）とデータの送受信を行うためのインターフェイスである。ＵＳＢ−ＨＤＤ１１は、内蔵ＨＤＤ６に記録されたパーシャルＴＳをダビングするための記録媒体である。なお、ＵＳＢ−ＨＤＤ１１を、以下「外付けＨＤＤ１１」と称す。
【００１３】
ＣＰＵ１２は、ＲＯＭ１３に格納されたプログラムに従い、ＲＡＭ１４をワーク領域として使用しながら、ＣＰＵバス１５を介して放送番組記録装置１の各ブロックの制御を行う。ＲＯＭ１３は、内蔵ＨＤＤ６に記録された放送番組のパーシャルＴＳを外付けＨＤＤ１１に自動でダビングし消去する自動ダビング処理のプログラム等を格納している。
【００１４】
次に、放送番組記録装置１の動作について説明する。上記のように、デジタルチューナ３は、アンテナ２で受信したデジタル放送信号の放送波から任意のＴＳを抽出する。トランスポートストリームデコーダ４は、デジタルチューナ３が抽出したＴＳから、選局された番組に関連するデータだけを抽出したパーシャルＴＳをストリームコントローラ５に出力する。
【００１５】
現在放送されている番組を視聴する場合、ストリームコントローラ５はパーシャルＴＳをＡＶデコーダ７に出力する。ＡＶデコーダ７は、パーシャルＴＳに含まれる放送番組の映像データおよび音声データをデコードし、復元された映像音声信号は、出力映像音声信号として、映像表示装置８および音声出力装置９に出力される。
【００１６】
現在放送されている番組を記録する場合、ストリームコントローラ５は、トランスポートストリームデコーダ４から出力されたパーシャルＴＳを、内蔵ＨＤＤ６に記録する。ここで、ストリームコントローラ５が内蔵ＨＤＤ６に記録する方法として、ユーザが手動で選択した放送番組を記録する手動記録、ユーザの過去の番組記録状況を加味して自動で選択した放送番組を記録する自動記録がある。ストリームコントローラ５は、手動記録または自動記録によって放送番組を内蔵ＨＤＤ６に記録する。
【００１７】
内蔵ＨＤＤ６に記録された放送番組を再生する場合、ストリームコントローラ５は、内蔵ＨＤＤ６に記録された放送番組のパーシャルＴＳを読み出して、ＡＶデコーダ７に出力する。ＡＶデコーダ７は、視聴の場合と同様に映像音声信号を復元して、映像音声信号を映像表示装置８および音声出力装置９に出力する。
【００１８】
内蔵ＨＤＤ６に記録された放送番組をダビングする場合、ストリームコントローラ５は、内蔵ＨＤＤ６に記録された放送番組のパーシャルＴＳを読み出して、ＵＳＢインターフェイス１０を介して外付けＨＤＤ１１にダビングを行う。ダビング動作終了後、ストリームコントローラ５は、内蔵ＨＤＤ６に記録された当該放送番組のパーシャルＴＳを消去することで、自動ダビング処理を完了する。なお、ストリームコントローラ５が記録手段およびダビング手段に相当する。
【００１９】
次に、図２を用いて自動ダビング処理について説明する。図２は、放送番組記録装置１の自動ダビング処理を示すフローチャートである。ＣＰＵ１２は、ユーザが予約録画を設定したときに自動ダビング処理を実行する。最初に、ＣＰＵ１２は、内蔵ＨＤＤ６の空き容量を検出し（ステップＳ１）、内蔵ＨＤＤ６の空き容量が所定容量よりも少ないか否かを判定する。ここで、所定容量としては、例えば標準的なデータサイズの放送番組を記録するために必要な容量、またはこれよりも多い容量であり、所定容量を示すデータは、例えばＲＡＭ１４に予め設定されている。なお、ユーザが所定容量を示すデータをＲＡＭ１４に設定してもよい。
【００２０】
ＣＰＵ１２により内蔵ＨＤＤ６の空き容量が所定容量よりも少ないと判定された場合（ステップＳ２においてＹｅｓ）、ストリームコントローラ５は、内蔵ＨＤＤ６に記録された放送番組のパーシャルＴＳの中から記録日時が古い放送番組のパーシャルＴＳを選択し（ステップＳ３）、ステップＳ４へ移行する。一方、内蔵ＨＤＤ６の空き容量が所定容量と同じまたは所定容量よりも多いと判定された場合は（ステップＳ２においてＮｏ）、ストリームコントローラ５はダビング動作を実行することなくこの処理を終了する。
【００２１】
ステップＳ４においてＣＰＵ１２は、選択した放送番組のパーシャルＴＳについて、外付けＨＤＤ１１にダビングすることが禁止されているか否かを判定し、当該放送番組のパーシャルＴＳがダビング禁止番組ではないと判定した場合（ステップＳ４においてＮｏ）、ストリームコントローラ５によって自動で記録された自動記録番組であるか否かを判定する。ＣＰＵ１２は、自動記録番組ではないと判定した場合（ステップＳ５においてＮｏ）、選択した放送番組が映像音声圧縮待ち番組であるか否かを判定する。
【００２２】
ここで、映像音声圧縮待ち番組とは、ユーザが、内蔵ＨＤＤ６に記録された放送番組の映像音声データについて、圧縮することを予約している放送番組をいう。ＣＰＵ１２により当該放送番組のパーシャルＴＳが映像音声圧縮待ち番組ではないと判定された場合（ステップＳ６においてＮｏ）、ストリームコントローラ５は、選択したパーシャルＴＳを外付けＨＤＤ１１に自動でダビングし、ダビング動作終了後に内蔵ＨＤＤ６から当該パーシャルＴＳを自動で消去し（ステップＳ７）、ステップＳ８へ移行する。
【００２３】
ただし、ＣＰＵ１２により当該放送番組のパーシャルＴＳが、ダビング禁止番組であると判定された場合（ステップＳ４においてＹｅｓ）、自動記録番組であると判定された場合（ステップＳ５においてＹｅｓ）、映像音声圧縮待ち番組であると判定された場合（ステップＳ６においてＹｅｓ）は、ストリームコントローラ５は、内蔵ＨＤＤ６に記録された放送番組のパーシャルＴＳの中から、次に記録日時が古いパーシャルＴＳを選択し（ステップＳ１０）、ステップＳ４へ移行する。
【００２４】
ステップＳ８においてＣＰＵ１２は、内蔵ＨＤＤ６の空き容量を検出し（ステップＳ８）、内蔵ＨＤＤ６の空き容量が所定容量よりも少ないか否かを判定する。ＣＰＵ１２は、内蔵ＨＤＤ６の空き容量が所定容量と同じまたは所定容量よりも多いと判定した場合（ステップＳ９においてＮｏ）、この処理を終了する。一方、ＣＰＵ１２は、内蔵ＨＤＤ６の空き容量が所定容量よりも少ないと判定した場合（ステップＳ９においてＹｅｓ）、ステップＳ１０に移行する。なお、容量判定手段は、ＣＰＵ１２により構成されている。
【００２５】
以上のように、実施の形態に係る放送番組記録装置１では、内蔵ＨＤＤ６の空き容量が所定容量よりも少ない場合、ストリームコントローラ５は、内蔵ＨＤＤ６に記録された所定の放送番組のパーシャルＴＳを自動で外付けＨＤＤ１１にダビングし当該放送番組のパーシャルＴＳを自動で消去するため、新規の放送番組のパーシャルＴＳを記録するための空き容量を自動で確保することができる。これにより、外付けＨＤＤ１１がＵＳＢ端子に接続された場合、ユーザに対してあたかも内蔵ＨＤＤ６の容量が増えたように見せることができる。
【００２６】
内蔵ＨＤＤ６から外付けＨＤＤ１１へのダビングを自動で実行するため、ユーザが手動でダビングを行う手間を省くことができ、また、内蔵ＨＤＤ６の容量不足のため放送番組が録画できないという事態を防ぐことができる。
【００２７】
また、記録日時が古い放送番組のパーシャルＴＳが自動ダビングの対象となるため、ユーザがまだ視聴していない放送番組を削除してしまうことを抑制できる。
【００２８】
また、自動記録された放送番組のパーシャルＴＳについては自動ダビングの対象とならないため、外付けＨＤＤ１１に対するダビング回数を減らすことができる。
【００２９】
さらに、映像音声圧縮待ち番組は自動ダビングの対象とならないため、圧縮後のパーシャルＴＳを外付けＨＤＤ１１にダビングすることで外付けＨＤＤ１１の使用容量を節約することができる。
【００３０】
なお、本発明は、その発明の範囲内において、実施の形態を適宜、変形、省略することが可能である。
【符号の説明】
【００３１】
１  放送番組記録装置、２  アンテナ、４  トランスポートストリームデコーダ、５  ストリームコントローラ、６  内蔵ＨＤＤ、１１  ＵＳＢ−ＨＤＤ、１２  ＣＰＵ。
【図１】
0005921262.tif 000002
【図２】
0005921262.tif 000003